(57)【要約】  【課題】ＩＰ電話機の設定を容易に変更して使用することのできる技術を提供すること。  【解決手段】  ＩＰ電話機１１０Ａに、他のＩＰ電話機１１０Ｃの通信情報が記憶された外部記憶装置１３０Ｃを装着すると、ＩＰ電話機１１０Ａでは、自己の通信情報をＩＰ−ＰＢＸ１５０に送信して保存し、外部記憶装置１３０Ｃに記憶されている通信情報を用いて通信を行う。また、ＩＰ電話機１１０Ａから外部記憶装置１３０Ｃが取り外されると、ＩＰ電話機１１０Ａは、自己の通信情報をＩＰ−ＰＢＸ１５０から取得し、自己の通信情報を用いて通信を行う。【選択図】図１
2010283547.tif 000002
【特許請求の範囲】
【請求項１】
外部記憶装置を着脱可能にされた電話機と、当該電話機の呼接続を中継する中継装置と、を有する通信システムであって、
前記電話機は、第一電話番号を含む第一通信情報を記憶する記憶部と、制御部と、を備え、
前記中継装置は、電話機の識別番号、電話番号、および、通信アドレス、を特定する状態情報を記憶する記憶部と、制御部と、を備え、
前記電話機の制御部は、第二電話番号を含む第二通信情報を記憶した外部記憶装置が装着された場合に、装着された外部記憶装置より取得された第二電話番号を前記中継装置に送信する処理を行い、
前記中継装置の制御部は、前記第二電話番号を受信すると、前記第二電話番号を送信してきた前記電話機の識別番号、前記第二電話番号、および、前記第二電話番号を送信してきた前記電話機の通信アドレス、を特定する状態情報を記憶部に追加する処理を行い、
前記電話機の制御部は、前記記憶部に記憶された第一通信情報を前記中継装置に送信する処理を行い、
前記中継装置の制御部は、前記第一通信情報を受信すると、前記第一通信情報を前記機中継装置の記憶部に記憶する処理を行い、
前記電話機の制御部は、前記第二電話番号を含む登録情報を前記中継装置に送信する処理を行い、
前記中継装置の制御部は、前記登録情報を受信すると、前記登録情報に含まれる第二電話番号を用いて、前記電話機の呼接続を行う処理と、
を行うこと、
を特徴とする通信システム。
【請求項２】
請求項１に記載の通信システムであって、
前記中継装置の制御部は、前記第二電話番号を受信すると、前記電話機において、前記第一電話番号を用いた呼接続を停止する処理を行うこと、
を特徴とする通信システム。
【請求項３】
請求項１又は２に記載の通信システムであって、
前記中継装置の制御部は、前記登録情報を受信すると、前記電話機とは異なる他の電話機の前記第二電話番号を用いた呼接続を停止する処理を行うこと、
を特徴とする通信システム。
【請求項４】
請求項１から３の何れか一項に記載の通信システムであって、
前記電話機の制御部は、前記第二電話番号を含む第二通信情報を記憶した外部記憶装置が取り外された場合に、外部記憶装置が取り外されたことを通知する取り外し情報を前記中継装置に送信する処理を行い、
前記中継装置の制御部は、前記取り外し情報を受信すると、前記中継装置に記憶されている前記第一通信情報を、前記電話機に送信する処理を行い、
前記電話機の制御部は、前記第一通信情報に含まれる第一電話番号を含む登録情報を前記中継装置に送信する処理を行い、
前記中継装置の制御部は、前記登録情報を受信すると、前記登録情報に含まれる第一電話番号を用いて、前記電話機の呼接続を行う処理を行うこと、
を特徴とする通信システム。
【請求項５】
請求項４に記載の通信システムであって、
前記中継装置の制御部は、前記取り外し情報を受信すると、前記電話機において、前記第二電話番号を用いた呼接続を停止する処理を行うこと、
を特徴とする通信システム。
【請求項６】
請求項４又は５に記載の通信システムであって、
前記中継装置の制御部は、前記第一電話番号を含む前記登録情報を受信すると、前記電話機とは異なる他の電話機の前記第二電話番号を用いた呼接続を再開する処理を行うこと、
を特徴とする通信システム。
【請求項７】
外部記憶装置を着脱可能にされた電話機と、当該電話機の呼接続を中継する中継装置と、を有する通信システムであって、
前記電話機は、第一電話番号を含む第一通信情報を記憶する記憶部と、制御部と、を備え、
前記中継装置は、電話機の識別番号、電話番号、および、通信アドレス、を特定する状態情報を記憶する記憶部と、制御部と、を備え、
前記電話機の制御部は、第二電話番号を含む通信情報を記憶した外部記憶装置が装着された場合に、装着された外部記憶装置より取得された第二電話番号を前記中継装置に送信する処理を行い、
前記中継装置の制御部は、前記第二電話番号を受信すると、前記第二電話番号を送信してきた前記電話機の識別番号、前記第二電話番号、および、前記第二電話番号を送信してきた前記電話機の通信アドレス、を特定する状態情報を記憶部に追加する処理を行い、
前記電話機の制御部は、装着された前記外部記憶装置より前記第二通信情報を取得して、前記電話機の記憶部に記憶する処理を行い、
前記電話機の制御部は、前記第二電話番号を含む登録情報を前記中継装置に送信する処理を行い、
前記中継装置の制御部は、前記登録情報を受信すると、前記登録情報に含まれる第二電話番号を用いて、前記電話機の呼接続を行う処理と、
を行うこと、
を特徴とする通信システム。
【請求項８】
外部記憶装置を着脱可能にされ、中継装置を介して呼接続を行う電話機であって、
第一電話番号を含む第一通信情報を記憶する記憶部と、制御部と、を備え、
前記制御部は、
第二電話番号を含む第二通信情報を記憶した外部記憶装置が装着された場合に、装着された外部記憶装置より取得された第二電話番号を前記中継装置に送信する処理と、
前記記憶部に記憶された第一通信情報を前記中継装置に送信する処理と、
前記第二電話番号を含む登録情報を前記中継装置に送信する処理と、
前記第二通信情報を用いて、通信を行う処理と、を行うこと、
を特徴とする電話機。
【請求項９】
請求項８に記載の電話機であって、
前記制御部は、
前記第二電話番号を含む第二通信情報を記憶した外部記憶装置が取り外された場合に、外部記憶装置が取り外されたことを通知する取り外し情報を前記中継装置に送信する処理と、
前記中継装置に記憶されている前記第一通信情報を、取得する処理と、
前記第一通信情報に含まれる第一電話番号を含む登録情報を前記中継装置に送信する処理と、
前記第一通信情報を用いて、通信を行う処理と、を行うこと、
を特徴とする電話機。
【発明の詳細な説明】
【技術分野】
【０００１】
本発明は、電話機と、電話機の呼接続を中継する中継装置と、を有する通信システムに関する。
【背景技術】
【０００２】
複数のＩＰ電話機の呼接続を行う中継装置として、ＩＰ−ＰＢＸがある。ＩＰ−ＰＢＸにＩＰ電話機を接続する際には、例えば、電話番号やＩＰアドレス等の設定情報をＩＰ−ＰＢＸに設定しなければならず、不便であった。
【０００３】
この点、特許文献１に記載の技術では、ＩＰ−ＰＢＸに接続するＩＰ電話機に電話番号及びＩＰアドレスを自動的に付与する技術が記載されている。
【先行技術文献】
【特許文献】
【０００４】
【特許文献１】特開２００６−１０８８７６号公報
【発明の概要】
【発明が解決しようとする課題】
【０００５】
特許文献１に記載の技術では、ＩＰ−ＰＢＸに接続するＩＰ電話機に電話番号及びＩＰアドレスを自動的に付与することはできるが、例えば、ＩＰ電話機のユーザが、通常使用しているＩＰ電話機と同様の設定で、他のＩＰ電話機を使用して通話を行いたいような場合には、使用する他のＩＰ電話機の設定を、手入力等により変更しなければならず不便であった。
【０００６】
そこで、本発明は、ＩＰ電話機の設定を容易に変更して使用することのできる技術を提供することを目的とする。
【課題を解決するための手段】
【０００７】
以上の課題を解決するため、本発明は、異なる通信情報を記憶した外部記憶装置が装着されると、この異なる通信情報を用いて通信を行うようにする。
【０００８】
例えば、本発明は、外部記憶装置を着脱可能にされた電話機と、当該電話機の呼接続を中継する中継装置と、を有する通信システムであって、前記電話機は、第一電話番号を含む第一通信情報を記憶する記憶部と、制御部と、を備え、前記中継装置は、電話機の識別番号、電話番号、および、通信アドレス、を特定する状態情報を記憶する記憶部と、制御部と、を備え、前記電話機の制御部は、第二電話番号を含む第二通信情報を記憶した外部記憶装置が装着された場合に、装着された外部記憶装置より取得された第二電話番号を前記中継装置に送信する処理を行い、前記中継装置の制御部は、前記第二電話番号を受信すると、前記第二電話番号を送信してきた前記電話機の識別番号、前記第二電話番号、および、前記第二電話番号を送信してきた前記電話機の通信アドレス、を特定する状態情報を記憶部に追加する処理を行い、前記電話機の制御部は、前記記憶部に記憶された第一通信情報を前記中継装置に送信する処理を行い、前記中継装置の制御部は、前記第一通信情報を受信すると、前記第一通信情報を前記機中継装置の記憶部に記憶する処理を行い、前記電話機の制御部は、前記第二電話番号を含む登録情報を前記中継装置に送信する処理を行い、前記中継装置の制御部は、前記登録情報を受信すると、前記登録情報に含まれる第二電話番号を用いて、前記電話機の呼接続を行う処理と、を行うこと、を特徴とする。
【発明の効果】
【０００９】
以上のように、本発明によれば、ＩＰ電話機の設定を容易に変更して使用することができるようになる。
【図面の簡単な説明】
【００１０】
【図１】通信システムの概略図。
【図２】ＩＰ電話機の概略図。
【図３】ＩＰ−ＰＢＸの概略図。
【図４】状態情報テーブルの概略図。
【図５】外部記憶装置を用いてＩＰ電話機の通信情報を変更する際の処理を示すシーケンス図。
【図６】状態情報テーブルの概略図。
【図７】状態情報テーブルの概略図。
【図８】状態情報テーブルの概略図。
【図９】状態情報テーブルの概略図。
【図１０】通信情報を変更したＩＰ電話機に元の通信情報を復帰させる際の処理を示すシーケンス図。
【図１１】状態情報テーブルの概略図。
【図１２】状態情報テーブルの概略図。
【発明を実施するための形態】
【００１１】
図１は、本発明の第一の実施形態である通信システム１００の概略図である。図示するように、通信システム１００は、ＩＰ電話機１１０Ａ、１１０Ｂ、１１０Ｃ（以下、各々を特に区別する必要のないときは、ＩＰ電話機１１０という）と、外部記憶装置１３０Ａ、１３０Ｂ、１３０Ｃ（以下、各々を特に区別する必要のないときは、外部記憶装置１３０という）と、中継装置としてのＩＰ−ＰＢＸ１５０と、を備え、これらはネットワーク１７０を介して相互に情報を送受信することができる。
【００１２】
図２は、ＩＰ電話機１１０の概略図である。図示するように、ＩＰ電話機１１０は、記憶部１１１と、制御部１１５と、ハンドセット１２２と、ＡＤ／ＤＡ変換部１２３と、通信インタフェース部１２４と、入力部１２５と、出力部１２６と、読み書き部１２７と、を備える。
【００１３】
記憶部１１１は、設定情報記憶領域１１２と、通信情報記憶領域１１３と、を備える。
【００１４】
設定情報記憶領域１１２には、ＩＰ電話機１１０で通信を行う際に必要な情報の内、ＩＰ電話機１１０の通信情報（電話番号）が変わっても、当該ＩＰ電話機１１０で使用される設定情報が記憶される。
【００１５】
例えば、本実施形態においては、ＩＰ−ＰＢＸ１５０の通信アドレス（ＧＷＩＰアドレス）、ＭＡＣアドレス、ＩＰ電話機１１０の通信アドレス（ＩＰアドレス）、サブネットアドレス等が設定情報として記憶される。
【００１６】
なお、ＩＰ電話機１１０を一意に識別するための識別情報としてＭＡＣアドレスを使用しない場合には、ＩＰ電話機１１０に一意に割り振られた識別情報（端末ＩＤ）も設定情報として記憶される。
【００１７】
通信情報記憶領域１１３には、ＩＰ電話機１１０のユーザに固有の通信情報が記憶される。
【００１８】
例えば、本実施形態においては、電話番号（内線番号）、個人データ（電話帳、パスワード、通話履歴）、が通信情報として記憶されるが、通信情報には、少なくとも電話番号（内線番号）が含まれていればよい。
【００１９】
制御部１１５は、全体制御部１１６と、接続処理部１１７と、通信処理部１１８と、音声処理部１１９と、情報処理部１２０と、を備える。
【００２０】
全体制御部１１６は、ＩＰ電話機１１０における処理の全体を制御する。
【００２１】
ここで、本実施形態においては、全体制御部１１６は、情報処理部１２０から、ＩＰ−ＰＢＸ１５０より利用停止指示を受信したことの通知を受けると、入力部１２５からの発呼指示の入力の受付を停止する。
【００２２】
また、全体制御部１１６は、情報処理部１２０から、ＩＰ−ＰＢＸ１５０より利用停止の解除指示を受信したことの通知を受けると、入力部１２５からの発呼指示の入力の受付を再開する。
【００２３】
接続処理部１１７は、予め定められたプロトコルに応じて、ＩＰ−ＰＢＸ１５０を介して、通話の相手方のＩＰ電話機１１０との間の呼接続処理を行う。
【００２４】
また、接続処理部１１７は、ＩＰ電話機１１０における通話履歴を取得して、通信情報記憶領域１１３に記憶する処理を行う。
【００２５】
通信処理部１１８は、ＩＰ（Internet Protocol）、ＴＣＰ（Transmission Control Protocol）、ＵＤＰ（User Datagram Protocol）に従った通信処理を行う。
【００２６】
例えば、通信処理部１１８は、音声処理部１１９から送られてきたＲＴＰパケットをＩＰパケットにして、通信インタフェース部１２４に出力する処理を行う。
【００２７】
また、通信処理部１１８は、通信インタフェース部１２４より送られてきたＩＰパケットからＲＴＰパケットを抽出し、音声処理部１１９に出力する処理を行う。
【００２８】
音声処理部１１９は、ＲＴＰに従った情報の処理を行う。
【００２９】
例えば、音声処理部１１９は、ＲＴＰ（Real-time Transport Protocol）に従って、ＡＤ／ＤＡ変換部１２３においてデジタル化された音声信号よりＲＴＰパケットを生成する処理を行う。
【００３０】
また、音声処理部１１９は、ＲＴＰに従って、通信処理部１１８から送られてきたＲＴＰパケットより音声信号を抽出して、ＡＤ／ＤＡ変換部１２３に出力する処理を行う。
【００３１】
情報処理部１２０は、読み書き部１２７を介して、外部記憶装置１３０との間で情報の受け渡しを行う。
【００３２】
また、情報処理部１２０は、読み書き部１２７に外部記憶装置１３０が接続された場合（読み書き可能な状態に設置された場合）には、接続された外部記憶装置１３０に記憶されている電話番号を取得して、取得した電話番号と、ＩＰ電話機１１０の識別情報（ここでは、ＭＡＣアドレス）と、を含む取り付け情報を生成し、通信処理部１１８及び通信インタフェース部１２４を介して、ＩＰ−ＰＢＸ１５０に送信する処理を行う。
【００３３】
さらに、情報処理部１２０は、接続された外部記憶装置１３０が読み書き部１２７から取り外された場合（読み書き不可能な状態にされた場合）には、通信情報記憶領域１１３に記憶されている電話番号を取得して、取得した電話番号と、ＩＰ電話機１１０の識別情報（ここでは、ＭＡＣアドレス）と、を含む取り外し情報を生成し、通信処理部１１８及び通信インタフェース部１２４を介して、ＩＰ−ＰＢＸ１５０に送信する処理を行う。
【００３４】
また、情報処理部１２０は、通信処理部１１８及び通信インタフェース部１２４を介して、ＩＰ−ＰＢＸ１５０より通信情報取得要求を受信すると、通信情報記憶領域１１３から通信情報を取得して、取得した通信情報と、ＩＰ電話機１１０の識別情報（ここでは、ＭＡＣアドレス）と、を含む保存用通信情報を生成し、通信処理部１１８及び通信インタフェース部１２４を介して、ＩＰ−ＰＢＸ１５０に送信する処理を行う。
【００３５】
さらに、情報処理部１２０は、送信した保存用通信情報に対する応答として、ＩＰ−ＰＢＸ１５０より成功応答を受信した場合には、通信情報記憶領域１１３に記憶されている通信情報を、外部記憶装置１３０に記憶されている通信情報に更新するとともに、設定情報記憶領域１１２に記憶されているＩＰ電話機１１０の識別情報（ここでは、ＭＡＣアドレス）及び通信アドレスと、通信情報記憶領域に記憶されている電話番号と、を含むログイン情報を生成し、通信処理部１１８及び通信インタフェース部１２４を介して、ＩＰ−ＰＢＸ１５０に送信する処理を行う。
【００３６】
また、情報処理部１２０は、通信処理部１１８及び通信インタフェース部１２４を介して、ＩＰ−ＰＢＸ１５０より通信情報を取得した場合には、通信情報記憶領域１１３に記憶されている通信情報を、外部記憶装置１３０に記憶されている通信情報に更新する処理を行う。
【００３７】
さらに、情報処理部１２０は、通信処理部１１８及び通信インタフェース部１２４を介して、ＩＰ−ＰＢＸ１５０より利用停止指示を受信した場合には、全体制御部１１６に利用停止指示を受信したことを通知する処理を行う。
【００３８】
また、情報処理部１２０は、通信処理部１１８及び通信インタフェース部１２４を介して、ＩＰ−ＰＢＸ１５０より利用停止解除指示又はログインに対する成功応答を受信した場合には、全体制御部１１６に利用停止の解除指示を通知する処理を行う。
【００３９】
ＡＤ／ＤＡ変換部１２３は、ハンドセット１２２のマイク（図示せず）を介して入力された音声に対してサンプリング及び符号化を行い、音声信号として音声処理部１１９に出力する。
【００４０】
また、ＡＤ／ＤＡ変換部１２３は、音声処理部１１９から送られてきた音声信号をアナログ化して、ハンドセット１２２のスピーカ（図示せず）に送る。
【００４１】
通信インタフェース部１２４は、ネットワーク１７０を介した情報の送受信を行う。
【００４２】
入力部１２５は、情報の入力を受け付ける。
【００４３】
出力部１２６は、情報を出力する。
【００４４】
読み書き部１２７は、外部記憶装置１３０との間の情報受け渡しを行う。なお、外部記憶装置１３０との間の情報受け渡しは、接触であると、非接触であると、を問わない。
【００４５】
外部記憶装置１３０は、ＩＰ電話機１１０の読み書き部１２７に接続され、接続されたＩＰ電話機１１０のユーザの指示に応じて、または、予め定められた時（周期的）に、通信情報記憶領域１１３に記憶されている通信情報を記憶する。
【００４６】
ここで、外部記憶装置１３０は、フラッシュメモリ等の半導体メモリのように可搬性を有する記憶装置を用いればよい。
【００４７】
図３は、ＩＰ−ＰＢＸ１５０の概略図である。図示するように、ＩＰ−ＰＢＸ１５０は、記憶部１５１と、制御部１５５と、通信部１６０と、を備える。
【００４８】
記憶部１５１は、状態情報記憶領域１５２と、通信情報記憶領域１５３と、を備える。
【００４９】
状態情報記憶領域１５２には、ＩＰ−ＰＢＸ１５０が管理する（ＩＰ−ＰＢＸ１５０にログインする）ＩＰ電話機１１０の状態を特定する状態情報が記憶される。例えば、本実施形態においては、図４（状態情報テーブル１５２ａの概略図）に示すような状態情報テーブル１５２ａが記憶される。
【００５０】
図４に示すように状態情報テーブル１５２ａは、識別情報欄１５２ｂと、電話番号欄１５２ｃと、通信アドレス欄１５２ｄと、入力状態欄１５２ｅと、停止状態欄１５２ｆと、変更使用欄１５２ｇと、を有する。
【００５１】
識別情報欄１５２ｂには、ＩＰ−ＰＢＸ１５０が管理する（ＩＰ−ＰＢＸ１５０にログインする）ＩＰ電話機１１０を一意に識別するための識別情報が格納される。ここで、本実施形態においては、ＩＰ電話機１１０を一意に識別するための識別情報として、各ＩＰ電話機１１０のＭＡＣアドレスが格納される。
【００５２】
電話番号欄１５２ｃには、識別情報欄１５２ｂで特定されるＩＰ電話機１１０の電話番号（内線番号）を特定する情報が格納される。
【００５３】
通信アドレス欄１５２ｄには、識別情報欄１５２ｂで特定されるＩＰ電話機１１０の通信アドレス（ＩＰアドレス）を特定する情報が格納される。
【００５４】
入力状態欄１５２ｅには、識別情報欄１５２ｂ及び電話番号欄１５２ｃで特定されるＩＰ電話機１１０の読み書き部１２７に外部記憶装置１３０が読み書き可能に設置されているか否かを特定する情報が格納される。ここで、本実施形態においては、入力状態欄１５２ｅに「１」が格納されている場合には、識別情報欄１５２ｂで特定されるＩＰ電話機１１０の読み書き部１２７に外部記憶装置１３０が接続されていることを示し、入力状態欄１５２ｅに「０」が格納されている場合には、識別情報欄１５２ｂで特定されるＩＰ電話機１１０の読み書き部１２７に外部記憶装置１３０が接続されていないことを示すものとするが、このような態様に限定されるものではない。
【００５５】
停止状態欄１５２ｆには、識別情報欄１５２ｂ及び電話番号欄１５２ｃで特定されるＩＰ電話機１１０の利用が停止されているか否かを特定する情報が格納される。ここで、本実施形態においては、停止状態欄１５２ｆに「１」が格納されている場合には、識別情報欄１５２ｂで特定されるＩＰ電話機１１０の利用が停止されていることを示し、停止状態欄１５２ｆに「０」が格納されている場合には、識別情報欄１５２ｂで特定されるＩＰ電話機１１０の利用が停止されていないことを示すものとするが、このような態様に限定されるものではない。
【００５６】
変更使用欄１５２ｇには、識別情報欄１５２ｂ及び電話番号欄１５２ｃで特定されるＩＰ電話機１１０が、他のＩＰ電話機１１０の通信情報を記憶した外部記憶装置１３０を接続することにより、ＩＰ電話機１１０の通信情報を変更して利用するものであるか否かを特定する情報が格納される。例えば、本実施形態においては、変更使用欄１５２ｇに「０」が格納されている場合には、通信情報を変更して使用するものではないことを示し、変更使用欄１５２ｇに「１」が格納されている場合には、通信情報を変更して使用するものであることを示すものとするが、このような態様に限定されるものではない。
【００５７】
通信情報記憶領域１５３には、ＩＰ−ＰＢＸ１５０が管理する（ＩＰ−ＰＢＸ１５０にログインする）ＩＰ電話機１１０から送信されてきた通信情報が、当該通信情報を送信してきたＩＰ電話機１１０を識別する識別情報（ここでは、ＭＡＣアドレス）に関連付けられて記憶される。
【００５８】
制御部１５５は、全体制御部１５６と、呼制御部１５７と、電話機情報処理部１５８と、を備える。
【００５９】
全体制御部１５６は、ＩＰ−ＰＢＸ１５０での処理の全体を制御する。
【００６０】
例えば、本実施形態においては、全体制御部１５６は、通信部１６０を介して情報を送受信する処理を制御する。
【００６１】
呼制御部１５７は、予め定められたプロトコルに応じて、発呼元のＩＰ電話機１１０と、発呼先のＩＰ電話機１１０との間の呼接続処理を行う。
【００６２】
ここで、本実施形態においては、呼制御部１５７は、発呼先のＩＰ電話機１１０の電話番号をキーとして状態情報テーブル１５２ａを検索し、ヒットしたレコードの内、停止状態欄１５２ｆに「０」の値が格納されているレコードがある場合には、当該レコードの通信アドレス欄１５２ｄで特定されるＩＰ電話機１１０に発呼を行い、ヒットした全てのレコードの停止状態欄１５２ｆに「１」の値が格納されている場合には、いわゆる話中として処理を行う。
【００６３】
電話機情報処理部１５８は、ＩＰ−ＰＢＸ１５０が管理する（ＩＰ−ＰＢＸ１５０にログインする）ＩＰ電話機１１０の状態情報及び通信情報を管理する処理を行う。
【００６４】
例えば、電話機情報処理部１５８は、通信部１６０を介して、取り付け情報を受信すると、状態情報テーブル１５２ａにおいて、受信した取り付け情報に含まれているＩＰ電話機１１０の識別情報（ここでは、ＭＡＣアドレス）が識別情報欄１５２ｂに格納されているレコードを特定し、特定したレコードの電話番号欄１５２ｃに受信した取り付け情報に含まれているＩＰ電話１１０の電話番号が格納されている場合には、当該レコードの入力状態欄１５２ｅを「１」、すなわち、読み書き部１２７に外部記憶装置１３０が接続されていることを示す情報に更新する。
【００６５】
一方、電話機情報処理部１５８は、受信した取り付け情報に含まれているＩＰ電話機１１０の識別情報（ここでは、ＭＡＣアドレス）が識別情報欄１５２ｂに格納されているレコードを特定し、特定したレコードの電話番号欄１５２ｃに受信した取り付け情報に含まれているＩＰ電話１１０の電話番号が格納されていない場合には、状態情報テーブル１５２ａに新たなレコードを追加し、識別番号欄１５２ｂには、受信した取り付け情報に含まれているＩＰ電話機１１０の識別情報（ここでは、ＭＡＣアドレス）を格納し、電話番号欄１５２ｃには、受信した取り付け情報に含まれているＩＰ電話機１１０の電話番号を格納し、通信アドレス欄１５２ｄには、受信した取り付け情報に含まれているＩＰ電話機１１０の識別情報が識別番号欄１５２ｂに格納されている他のレコードの通信アドレス欄１５２ｄに格納されている通信アドレスを格納し、入力状態欄１５２ｅには、「１」を格納し、停止状態欄１５２ｆには、「１」、すなわち、ＩＰ電話機１１０の利用が停止されていることを示す情報を格納し、変更使用欄１５２ｇには、「０」、すなわち、通信情報を変更して利用するものであることを特定する情報を格納するとともに、受信した取り付け情報に含まれているＩＰ電話機１１０の識別情報が識別番号欄１５２ｂに格納されている他のレコードの停止状態欄１５２ｆに格納されている情報を「１」に更新する。
【００６６】
さらに、電話機情報処理部１５８は、受信した取り付け情報に含まれているＩＰ電話機１１０の識別情報（ここでは、ＭＡＣアドレス）が識別情報欄１５２ｂに格納されているレコードを特定し、特定したレコードの電話番号欄１５２ｃに受信した取り付け情報に含まれているＩＰ電話１１０の電話番号が格納されていない場合には、受信した取り付け情報に含まれているＩＰ電話機１１０の識別情報が識別番号欄１５２ｂに格納されている他のレコードの通信アドレス欄１５２ｄに格納されている通信アドレスを宛先として、通信部１６０を介して、通信情報の取得要求を送信する。
【００６７】
また、電話機情報処理部１５８は、通信部１６０を介して取り外し情報を受信すると、状態情報テーブル１５２ａにおいて、受信した取り外し情報に含まれているＩＰ電話機１１０の識別情報（ここでは、ＭＡＣアドレス）が識別情報欄１５２ｂに格納されたレコードが一つである場合には、このレコードの入力状態欄１５２ｅを「０」に更新する。
【００６８】
さらに、電話機情報処理部１５８は、通信部１６０を介して取り外し情報を受信すると、状態情報テーブル１５２ａにおいて、受信した取り外し情報に含まれているＩＰ電話機１１０の識別情報（ここでは、ＭＡＣアドレス）が識別情報欄１５２ｂに格納されたレコードが複数ある場合には、取り外し情報に含まれている電話番号が電話番号欄１５２ｃに格納されているレコードを特定し、特定したレコードの停止状態欄１５２ｆを「１」に更新し、また、特定したレコードの通信アドレス欄１５２ｄに格納されている通信アドレスを宛先として、通信部１４１を介して利用停止指示を送信する。
【００６９】
また、電話機情報処理部１５８は、通信部１６０を介してログイン情報を受信すると、状態情報テーブル１５２ａにおいて、受信したログイン情報に含まれている識別情報（ここでは、ＭＡＣアドレス）が識別情報欄１５２ｂに格納されているレコードがない場合には、状態情報テーブル１５２ａに新たなレコードを追加して、識別番号欄１５２ｂには、受信したログイン情報に含まれているＩＰ電話機１１０の識別情報（ここでは、ＭＡＣアドレス）を格納し、電話番号欄１５２ｃには、受信したログイン情報に含まれている電話番号を格納し、通信アドレス欄１５２ｄには、受信したログイン情報に含まれている通信アドレスを、入力状態欄１５２ｅには、「０」を格納し、停止状態欄１５２ｆには、「０」を格納し、変更使用欄１５２ｇには、「０」を格納する。
【００７０】
さらに、電話機情報処理部１５８は、状態情報テーブル１５２ａにおいて、受信したログイン情報に含まれている識別情報（ここでは、ＭＡＣアドレス）が識別情報欄１５２ｂに格納されているレコードが一つある場合には、このレコードの電話番号欄１５２ｃに格納されている情報を、ログイン情報に含まれている電話番号に更新する。
【００７１】
また、電話機情報処理部１５８は、状態情報テーブル１５２ａにおいて、受信したログイン情報に含まれている識別情報（ここでは、ＭＡＣアドレス）が識別情報欄１５２ｂに格納されているレコードが複数ある場合には、これらのレコードの内、ログイン情報に含まれている電話番号が電話番号欄１５２ｃに格納されているレコードの変更使用欄１５２ｇが「０」であるときは、停止状態欄１５２ｆを「０」に更新する。
【００７２】
さらに、電話機情報処理部１５８は、状態情報テーブル１５２ａにおいて、受信したログイン情報に含まれている識別情報（ここでは、ＭＡＣアドレス）が識別情報欄１５２ｂに格納されているレコードが複数ある場合であって、これらのレコードの内、ログイン情報に含まれている電話番号が電話番号欄１５２ｃに格納されているレコードの変更使用欄１５２ｇの値が「１」のときは、ログイン情報に含まれている電話番号が電話番号欄１５２ｃに格納されていないレコードの電話番号欄１５２ｃに格納されている電話番号と同じ電話番号が格納されている他のレコードを特定し、特定した他のレコードの停止状態欄１５２ｆを「１」に更新するとともに、特定した他のレコードの通信アドレス欄１５２ｄに格納されている通信アドレスを宛先として、利用停止指示を送信する。
【００７３】
一方、電話機情報処理部１５８は、状態情報テーブル１５２ａにおいて、受信したログイン情報に含まれている識別情報（ここでは、ＭＡＣアドレス）が識別情報欄１５２ｂに格納されているレコードが複数ある場合であって、これらのレコードの内、ログイン情報に含まれている電話番号が電話番号欄１５２ｃに格納されているレコードの変更使用欄１５２ｇの値が「０」のときは、ログイン情報に含まれている電話番号が電話番号欄１５２ｃに格納されていないレコードの電話番号欄１５２ｃに格納されている電話番号と同じ電話番号が格納されている他のレコードを特定し、特定した他のレコードの停止状態欄１５２ｆを「０」に更新するとともに、特定した他のレコードの通信アドレス欄１５２ｄに格納されている通信アドレスを宛先として、利用停止解除指示を送信する。
【００７４】
また、電話機情報処理部１５８は、状態情報テーブル１５２ａにおいて、受信したログイン情報に含まれている識別情報（ここでは、ＭＡＣアドレス）が識別情報欄１５２ｂに格納されているレコードが複数ある場合であって、これらのレコードの内、ログイン情報に含まれている電話番号が電話番号欄１５２ｃに格納されているレコードの変更使用欄１５２ｇの値が「０」のときは、ログイン情報に含まれている電話番号が電話番号欄１５２ｃに格納されていないレコードの電話番号欄１５２ｃに格納されている電話番号と同じ電話番号が格納されている他のレコードを削除する。
【００７５】
さらに、電話機情報処理部１５８は、ＩＰ電話機１１０より、保存用通信情報を受信した際には、受信した保存用通信情報に添付されている識別情報（ここでは、ＭＡＣアドレス）に関連付けて、通信情報を通信情報記憶領域１５３に記憶する。
【００７６】
また、電話機情報処理部１５８は、通信部１６０を介して取り外し情報を受信すると、状態情報テーブル１５２ａにおいて、受信した取り外し情報に含まれているＩＰ電話機１１０の識別情報（ここでは、ＭＡＣアドレス）が識別情報欄１５２ｂに格納されているレコードが複数ある場合には、これらのレコードの内、入力状態欄１５２ｅに「０」が格納されているレコードを特定し、特定したレコードの識別番号欄１５２ｂに格納されている識別番号に関連付けられている通信情報を通信情報記憶領域１５３より取得し、特定したレコードの通信アドレス欄１５２ｄに格納されている通信アドレスを宛先として、取得した通信情報を送信する。
【００７７】
通信部１６０は、ネットワーク１７０を介して情報を送受信する。
【００７８】
図５は、外部記憶装置１３０Ｃを用いてＩＰ電話機１１０Ａの通信情報を変更する際の処理を示すシーケンス図である。
【００７９】
ここで、本シーケンスにおいては、ＩＰ−ＰＢＸ１５０の状態情報記憶領域１５２には、図４に示すような状態情報テーブル１５２ａが記憶されており、ＩＰ電話機１１０Ａの状態情報は、第一行目のレコード１５２ｈで管理されており、ＩＰ電話機１１０Ｃの状態情報は、第三行目のレコード１５２ｉで管理されているものとする。
【００８０】
まず、ユーザがＩＰ電話機１１０Ｃから外部記憶装置１３０Ｃを取り外すと、ＩＰ電話機１１０Ｃの情報処理部１２０が、読み書き部１２７から外部記憶装置１３０Ｃが取り外されたことを検知し（Ｓ１０）、ＩＰ電話機１１０Ｃの情報処理部１２０が、設置情報記憶領域１１２に記憶されているＭＡＣアドレスと、通信情報記憶領域１１３に記憶されている電話番号と、を含む取り外し情報を生成して、通信処理部１１８及び通信インタフェース部１２４を介して、ＩＰ−ＰＢＸ１５０に送信する（Ｓ１１）。なお、外部記憶装置１３０Ｃには、ＩＰ電話機１１０Ｃの通信情報が記憶されているものとする。
【００８１】
取り外し情報を受信したＩＰ−ＰＢＸ１５０では、電話機情報処理部１５８が、取り外し情報に含まれているＭＡＣアドレスと、電話番号と、を抽出し、状態情報テーブル１５２ａにおいて、抽出したＭＡＣアドレス及び電話番号が識別情報欄１５２ｂ及び電話番号欄１５２ｃに格納されているレコードを特定し、特定したレコードの入力状態欄１５２ｅを「０」に更新する（Ｓ１２）。例えば、図４に示す状態情報テーブル１５２ａのＩＰ電話機１１０Ｃに対応するレコード１５２ｉが、図６（状態情報テーブル１５２ａの概略図）のＩＰ電話機１１０Ｃに対応するレコード１５２ｉのように入力状態欄１５２ｅの値が「０」になる。
【００８２】
次に、ユーザがＩＰ電話機１１０Ａの通信情報を変更するために、ＩＰ電話機１１０Ａから外部記憶装置１３０Ｃを取り外すと、ＩＰ電話機１１０Ａの情報処理部１２０が、読み書き部１２７から外部記憶装置１３０Ｃが取り外されたことを検知し（Ｓ１３）、ＩＰ電話機１１０Ａの情報処理部１２０が、設置情報記憶領域１１２に記憶されているＭＡＣアドレスと、通信情報記憶領域１１３に記憶されている電話番号と、を含む取り外し情報を生成して、通信処理部１１８及び通信インタフェース部１２４を介して、ＩＰ−ＰＢＸ１５０に送信する（Ｓ１４）。なお、外部記憶装置１３０Ａには、ＩＰ電話機１１０Ａの通信情報が記憶されているものとする。
【００８３】
取り外し情報を受信したＩＰ−ＰＢＸ１５０では、電話機情報処理部１５８が、取り外し情報に含まれているＭＡＣアドレスと、電話番号と、を抽出し、状態情報テーブル１５２ａにおいて、抽出したＭＡＣアドレス及び電話番号が識別情報欄１５２ｂ及び電話番号欄１５２ｃに格納されているレコードを特定し、特定したレコードの入力状態欄１５２ｅを「０」に更新する（Ｓ１５）。例えば、図４に示す状態情報テーブル１５２ａのＩＰ電話機１１０Ａに対応するレコード１５２ｈが、図７（状態情報テーブル１５２ａの概略図）のＩＰ電話機１１０Ａに対応するレコード１５２ｈのように入力状態欄１５２ｅの値が「０」になる。
【００８４】
次に、ユーザが、ＩＰ電話機１１０ＡをＩＰ電話機１１０Ｃと同様の通信情報を用いて使用するために、ＩＰ電話機１１０Ｃの通信情報が記憶されている外部記憶装置１３０ＣをＩＰ電話機１１０Ａの読み書き部１２７に接続すると、ＩＰ電話機１１０Ａの情報処理部１２０が、読み書き部１２７に外部記憶装置１３０Ｃが接続されたことを検知し（Ｓ１６）、ＩＰ電話機１１０Ａの情報処理部１２０が、設置情報記憶領域１１２に記憶されているＭＡＣアドレスと、外部記憶装置１３０Ｃに記憶されている電話番号と、を含む取り付け情報を生成して、通信処理部１１８及び通信インタフェース部１２４を介して、ＩＰ−ＰＢＸ１５０に送信する（Ｓ１７）。
【００８５】
このような取り付け情報を受信したＩＰ−ＰＢＸ１５０では、電話機情報処理部１５８が、取り付け情報に含まれているＭＡＣアドレスと、電話番号と、を抽出し、状態情報テーブル１５２ａにおいて、抽出したＭＡＣアドレス及び電話番号が識別情報欄１５２ｂ及び電話番号欄１５２ｃに格納されているレコードを検索する。ここでは、このようなレコードが存在せず、抽出したＭＡＣアドレスが識別情報欄１５２ｂに格納されているレコード（ここでは、レコード１５２ｈ）があるため、例えば、図８（状態情報テーブル１５２ａの概略図）に示すように、状態情報テーブル１５２ａに新たなレコード１５２ｊを生成し、識別情報欄１５２ｂには、取り付け情報に含まれているＭＡＣアドレスを、電話番号欄１５２ｃには、取り付け情報に含まれている電話番号を、通信アドレス欄１５２ｄには、取り付け情報に含まれているＭＡＣアドレスが格納されている他のレコード（ここでは、レコード１５２ｈ）の通信アドレス欄１５２ｄに格納されている通信アドレスを、入力状態欄１５２ｅには、「１」を、停止状態欄１５２ｆには、「１」を、変更使用欄１５２ｇには、「１」を、格納する（Ｓ１８）。
【００８６】
そして、取り付け情報を受信して、新たに状態情報テーブル１５２ａにレコードを追加した場合には、ＩＰ−ＰＢＸ１５０は、電話機情報処理部１５８が、状態情報テーブル１５２ａにおいて、取り付け情報に含まれているＭＡＣアドレスが識別情報欄１５２ｂに格納されているレコードの通信アドレス欄１５２ｄに格納されている通信アドレスを宛先として、通信情報取得要求を送信する（Ｓ１９）。
【００８７】
通信情報取得要求を受信したＩＰ電話機１１０Ａでは、全体制御部１１６が、入力部１２５からの電話指示の入力の受付を停止する（Ｓ２０）。なお、ステップＳ２０においては、全体制御部１１６は、出力部１２６に電話機能の利用が停止された旨を特定する情報を表示することが望ましい。
【００８８】
次に、ＩＰ電話機１１０Ａの情報処理部１２０は、通信情報記憶領域１１３から取得した通信情報と、設定情報記憶領域１１２に記憶されているＩＰ電話機１１０ＡのＭＡＣアドレスと、を含む保存用通信情報を生成し、通信処理部１１８及び通信インタフェース部１２４を介して、ＩＰ−ＰＢＸ１５０に送信する（Ｓ２１）。
【００８９】
このような保存用通信情報を受信したＩＰ−ＰＢＸ１５０では、電話機情報処理部１５８が、受信した保存用通信情報から抽出した通信情報を、受信した保存用通信情報から抽出したＭＡＣアドレスに関連付けて、通信情報記憶領域１５３に記憶する（Ｓ２２）。
【００９０】
そして、ＩＰ−ＰＢＸ１５０の電話機情報処理部１５８は、通信部１６０を介して、通信情報の保存が成功したことを示す成功応答をＩＰ電話機１１０Ａに送信する（Ｓ２３）。
【００９１】
このような成功応答を受信したＩＰ電話機１１０Ａでは、情報処理部１２０が、通信情報記憶領域１１３に記憶されている情報を削除して、読み書き部１２７に接続されている外部記憶装置１３０Ｃから通信情報を取得して、通信情報記憶領域１１３に記憶することで通信情報を更新する（Ｓ２４）。
【００９２】
そして、ＩＰ電話機１１０Ａの情報処理部１２０は、通信情報を更新すると、更新した通信情報から取得した電話番号と、設定情報記憶領域１１２に記憶されている通信アドレス及びＭＡＣアドレスと、を含むログイン情報をＩＰ−ＰＢＸ１５０に送信する（Ｓ２５）。
【００９３】
このようなログイン情報を受信したＩＰ−ＰＢＸ１５０では、電話機情報処理部１５８が、状態情報テーブル１５２ａにおいて、ログイン情報に含まれるＭＡＣアドレス、電話番号及び通信アドレスが、識別情報欄１５２ｂ、電話番号欄１５２ｃ及び通信アドレス欄１５２ｄに格納されているレコードを特定し、特定したレコードの停止状態欄１５２ｆを「０」に更新し、また、電話機情報処理部１５８は、ログイン情報に含まれる電話番号が電話番号欄１５２ｃに格納されている他のレコードの停止状態欄１５２ｆを「１」に更新する（Ｓ２６）。
【００９４】
例えば、図９に示す状態情報テーブル１５２ａに示すように、ＩＰ電話機１１０Ａに対応して新たに生成されたレコード１５２ｊの停止状態欄１５２ｆが「０」となり、ＩＰ電話機１１０Ｃに対応するレコード１５２ｉの停止状態欄１５２ｆが「１」となる。
【００９５】
そして、ＩＰ−ＰＢＸ１５０の電話機情報処理部１５８は、ステップＳ２６において、停止状態欄１５２ｆを「１」に更新したレコードの通信アドレス欄１５２ｄに格納されている通信アドレスを宛先として、利用停止指示を送信する（Ｓ２７）。
【００９６】
このような利用停止指示を受信したＩＰ電話機１１０Ｃでは、全体制御部１１６が、入力部１２５からの電話指示の入力の受付を停止する（Ｓ２８）。なお、ステップＳ２８においては、全体制御部１１６は、出力部１２６に電話機能の利用が停止された旨を特定する情報を表示することが望ましい。
【００９７】
また、ＩＰ−ＰＢＸ１５０の電話機情報処理部１５８は、ステップＳ２６において、停止状態欄１５２ｆを「０」に更新したレコードの通信アドレス欄１５２ｄに格納されている通信アドレスを宛先として、ログインの成功応答を送信する（Ｓ２９）。
【００９８】
このようなログインの成功応答を受信したＩＰ電話機１１０Ａでは、全体制御部１１６が、入力部１２５からの電話指示の入力の受付を再開する（Ｓ３０）。なお、ステップＳ３０においては、全体制御部１１６は、出力部１２６に電話機能の利用が停止された旨を特定する情報を表示していた場合には、このような表示を停止する。
【００９９】
以上のような処理を行うことにより、ＩＰ電話機１１０Ａに外部記憶装置１３０Ｃを接続するのみで、ＩＰ電話機１１０Ａにおいて、外部記憶装置１３０Ｃに記憶されているＩＰ電話機１１０Ｃの通信情報（電話番号、電話帳等）を用いて通信を行うことができるようになる。
【０１００】
図１０は、通信情報を変更したＩＰ電話機１１０Ａに元の通信情報を復帰させる際の処理を示すシーケンス図である。
【０１０１】
ここで、本シーケンスにおいては、ＩＰ−ＰＢＸ１５０の状態情報記憶領域１５２には、図９に示す状態情報テーブル１５２ａが記憶されており、ＩＰ電話機１１０Ｃに接続されていた外部記憶装置１３０ＣをＩＰ電話機１１０Ａに接続しているものとする。
【０１０２】
そして、図９に示す状態情報テーブル１５２ａでは、ＩＰ電話機１１０ＡがＩＰ電話機１１０Ａの通信情報を使用して通信を行う際の状態情報は、第一行目のレコード１５２ｈで管理されており、ＩＰ電話機１１０ＣがＩＰ電話機１１０Ｃの通信情報を使用して通信を行う際の状態情報は、第三行目のレコード１５２ｉで管理されており、ＩＰ電話機１１０ＡがＩＰ電話機１１０Ｃの通信情報を使用して通信を行う際の状態情報は、第四行目のレコード１５２ｊで管理されているものとする。
【０１０３】
まず、ユーザがＩＰ電話機１１０Ａに元の通信情報を復帰させるために、ＩＰ電話機１１０Ａから外部記憶装置１３０Ｃを取り外すと、ＩＰ電話機１１０Ａの情報処理部１２０は、読み書き部１２７から外部記憶装置１３０Ｃが取り外されたことを検知し（Ｓ４０）、ＩＰ電話機１１０Ａの情報処理部１２０は、設置情報記憶領域１１２に記憶されているＭＡＣアドレスと、通信情報記憶領域１１３に記憶されている電話番号と、を含む取り外し情報を生成して、通信処理部１１８及び通信インタフェース部１２４を介して、ＩＰ−ＰＢＸ１５０に送信する（Ｓ４１）。
【０１０４】
取り外し情報を受信したＩＰ−ＰＢＸ１５０では、電話機情報処理部１５８が、取り外し情報に含まれているＭＡＣアドレスと、電話番号と、を抽出し、状態情報テーブル１５２ａにおいて、抽出したＭＡＣアドレスが識別情報欄１５２ｂに格納されているレコードが複数あることを確認し、そして、抽出したＭＡＣアドレス及び電話番号が識別情報欄１５２ｂ及び電話番号欄１５２ｃに格納されているレコードを特定し、特定したレコードの入力状態欄１５２ｅを「０」に更新するとともに、特定したレコードの停止状態欄１５２ｆを「１」に更新する（Ｓ４２）。例えば、図１１に示す状態情報テーブル１５２ａのように、レコード１５２ｊの入力状態欄１５２ｅの値が「０」、停止状態欄１５２ｆの値が「１」になる。
【０１０５】
さらに、ＩＰ−ＰＢＸ１５０の電話機情報処理部１５８は、状態情報テーブル１５２ａにおいて、取り外し情報から抽出したＭＡＣアドレスが識別情報欄１５２ｂに格納されているレコードが複数あることを確認した場合には、取り外し情報を送信してきたＩＰ電話機１１０Ａに利用停止指示を送信する（Ｓ４３）。
【０１０６】
このような利用停止指示を受信したＩＰ電話機１１０Ａでは、全体制御部１１６が、入力部１２５からの電話指示の入力の受付を停止する（Ｓ４４）。なお、ステップＳ４４においては、全体制御部１１６は、出力部１２６に電話機能の利用が停止された旨を特定する情報を表示することが望ましい。
【０１０７】
また、ＩＰ−ＰＢＸ１５０の電話機情報処理部１５８は、状態情報テーブル１５２ａにおいて、取り外し情報から抽出したＭＡＣアドレスが識別情報欄１５２ｂに格納されているレコードが複数あることを確認した場合には、取り外し情報に含まれているＭＡＣアドレスに関連付けられて通信情報記憶領域１５３に記憶されている通信情報を抽出し、抽出した通信情報を、取り外し情報を送信してきたＩＰ電話機１１０Ａに送信する（Ｓ４５）。
【０１０８】
ＩＰ−ＰＢＸ１５０より通信情報を受信したＩＰ電話機１１０Ａでは、情報処理部１２０が、通信情報記憶領域１１３に記憶されている通信情報を削除して、受信した通信情報を通信情報記憶領域１１３に記憶することで、通信情報を更新する（Ｓ４６）。
【０１０９】
そして、通信情報を更新したＩＰ電話機１１０Ａの情報処理部１２０は、更新した通信情報から取得した電話番号と、設定情報記憶領域１１２に記憶されている通信アドレス及びＭＡＣアドレスと、を含むログイン情報をＩＰ−ＰＢＸ１５０に送信する（Ｓ４７）。
【０１１０】
このようなログイン情報を受信したＩＰ−ＰＢＸ１５０では、電話機情報処理部１５８が、状態情報テーブル１５２ａにおいて、ログイン情報に含まれるＭＡＣアドレス、電話番号及び通信アドレスが、識別情報欄１５２ｂ、電話番号欄１５２ｃ及び通信アドレス欄１５２ｄに格納されているレコードを特定し、特定したレコードの変更使用欄１５２ｇに格納されている値が「１」である場合には、特定したレコードの停止状態欄１５２ｆを「０」に更新し、また、電話機情報処理部１５８は、ログイン情報に含まれる電話番号が電話番号欄１５２ｃに格納されている他のレコードの停止状態欄１５２ｆを「０」に更新し、さらに、電話機情報処理部１５８は、ログイン情報に含まれるＭＡＣアドレス及び通信アドレスが、識別情報欄１５２ｂ及び通信アドレス欄１５２ｄに格納されているレコードであって、ログイン情報に含まれている電話番号が電話番号欄１５２ｃに格納されていないレコードを特定し、特定したレコードを削除する（Ｓ４８）。
【０１１１】
例えば、図１２に示す状態情報テーブル１５２ａに示すように、ＩＰ電話機１１０Ａに対応して新たに生成されたレコード１５２ｊが削除され、ＩＰ電話機１１０Ａに対応したレコード１５２ｈの停止状態欄１５２ｆが「０」にされ、ＩＰ電話機１１０Ｃに対応するレコード１５２ｉの停止状態欄１５２ｆが「０」にされる。
【０１１２】
そして、ＩＰ−ＰＢＸ１５０の電話機情報処理部１５８は、ログイン情報を送信してきたＩＰ電話機１１０Ａに、ログインの成功応答を送信する（Ｓ４９）。
【０１１３】
このようなログインの成功応答を受信したＩＰ電話機１１０Ａでは、全体制御部１１６が、入力部１２５からの電話指示の入力の受付を再開する（Ｓ５０）。なお、ステップＳ５０においては、全体制御部１１６は、出力部１２６に電話機能の利用が停止された旨を特定する情報を表示していた場合には、このような表示を停止する。
【０１１４】
さらに、ＩＰ−ＰＢＸ１５０の電話機情報処理部１５８は、ステップＳ４８において、停止状態欄１５２ｆを「０」に更新したレコードのうち、ログイン情報を送信してきたＩＰ電話機１１０Ａ以外のＩＰ電話機１１０Ｃに対応するレコード１５２ｊの通信アドレス欄１５２ｄに格納されている通信アドレスを宛先として、利用停止解除指示を送信する（Ｓ５１）。
【０１１５】
このようなログインの利用停止解除指示を受信したＩＰ電話機１１０Ｃでは、全体制御部１１６が、入力部１２５からの電話指示の入力の受付を再開する（Ｓ５２）。なお、ステップＳ５２においては、全体制御部１１６は、出力部１２６に電話機能の利用が停止された旨を特定する情報を表示していた場合には、このような表示を停止する。
【０１１６】
以上のような処理を行うことにより、他の電話機１１０Ｃの通信情報を使用して通信を行っていたＩＰ電話機１１０Ａから、外部記憶装置１３０Ｃを取り外すだけで、ＩＰ電話機１１０Ａに元の通信情報が復帰する。
【０１１７】
以上のように、本発明によれば、ＩＰ電話機１１０に、他のＩＰ電話機１１０の通信情報が記憶されている外部記憶装置１３０を接続することにより、ＩＰ電話機１１０を他のＩＰ電話機１１０と同様に使用することができるほか、ＩＰ電話機１１０より、他のＩＰ電話機１１０の通信情報が記憶されている外部記憶装置１３０を取り外すことにより、ＩＰ電話機１１０の通信情報が元に戻され、元のＩＰ電話機１１０に復帰させることができる。
【０１１８】
以上に記載した実施形態においては、ＩＰ電話機１１０に他のＩＰ電話機１１０の通信情報が記憶された外部記憶装置１３０が接続された際に、ＩＰ電話機１１０の通信情報をＩＰ−ＰＢＸ１５０に送信し（例えば、図５のステップＳ２１）、ＩＰ−ＰＢＸ１５０で保存するようにしているが、このような態様に限定されず、例えば、ＩＰ電話機１１０の記憶部１１１に通信情報保存領域を設けておき、この通信情報保存領域に元の通信情報を記憶しておくことも可能である。
【０１１９】
このようにした場合には、ＩＰ電話機１１０から、他のＩＰ電話機１１０の通信情報が記憶された外部記憶装置１３０が取り外された際には、この通信情報保存領域に記憶された通信情報を通信情報記憶領域１１３に戻すことにより、元のＩＰ電話機１１０の状態に復帰させることが可能となる。
【０１２０】
また、以上に記載した実施形態においては、ＩＰ電話機１１０に他のＩＰ電話機１１０の通信情報が記憶された外部記憶装置１３０が接続された際に、ＩＰ電話機１１０の通信情報記憶領域１１３に記憶されている通信情報を、外部記憶装置１３０に記憶されている通信情報に更新しているが（例えば、図５のステップＳ２４）、このような態様に限定されず、例えば、ＩＰ電話機１１０に他のＩＰ電話機１１０の通信情報が記憶された外部記憶装置１３０が接続された際には、外部記憶装置１３０を用いて（外部記憶装置１３０に記憶されている通信情報をそのまま用いて）、通信を行うようにしてもよい。
【０１２１】
このような場合には、ＩＰ電話機１１０の通信情報をＩＰ−ＰＢＸ１５０に送信する必要がなくなり（例えば、図５のステップＳ２１）、また、通信情報として通話履歴が含まれている場合には、外部記憶装置１３０に記憶されている通話履歴が常に最新のものになる。
【０１２２】
また、以上に記載した実施形態においては、中継装置としてＩＰ−ＰＢＸ１５０を使用したが、このような態様に限定されず、例えば、ＳＩＰサーバ等、ＩＰ電話機１１０の呼接続を中継することのできる装置であればどのような装置であってもよい。
【符号の説明】
【０１２３】
１００  通信システム
１１０  ＩＰ電話機
１１１  記憶部
１１２  設定情報記憶領域
１１３  通信情報記憶領域
１１５  制御部
１１６  全体制御部
１１７  接続処理部
１１８  通信処理部
１１９  音声処理部
１２０  情報処理部
１２２  ハンドセット
１２３  ＡＤ／ＤＡ変換部
１２４  通信インタフェース部
１２５  入力部
１２６  出力部
１２７  読み書き部
１５０  ＩＰ−ＰＢＸ
１５１  記憶部
１５２  状態情報記憶領域
１５３  通信情報記憶領域
１５５  制御部
１５６  全体制御部
１５７  呼制御部
１５８  電話機情報処理部
１６０  通信部
【図１】
2010283547.tif 000003
【図２】
2010283547.tif 000004
【図３】
2010283547.tif 000005
【図４】
2010283547.tif 000006
【図５】
2010283547.tif 000007
【図６】
2010283547.tif 000008
【図７】
2010283547.tif 000009
【図８】
2010283547.tif 000010
【図９】
2010283547.tif 000011
【図１０】
2010283547.tif 000012
【図１１】
2010283547.tif 000013
【図１２】
2010283547.tif 000014